(57)【要約】      （修正有）【課題】機能制限を行う動作が固定であり他の動作設定の変更を任意に行うことができないという課題を解決する。【解決手段】端末制御装置１０は、携帯通信端末２０との間の非接触通信により、携帯通信端末の利用シーンの変化と、当該利用シーンの変化に伴い動作設定の変更を促す動作状態変更信号を送信し、携帯通信端末２０は、動作状態変更信号を非接触通信により受信し、当該受信した動作状態変更信号による動作設定の変更を許可するか否かを判定し、許可すると判定された場合に動作状態変更信号を解析して動作設定を変更する。【選択図】図１
2010171754.tif 000002
【特許請求の範囲】
【請求項１】
携帯通信端末に接続される端末制御装置であって、
前記携帯通信端末の動作設定の変更内容が定義された情報に従い、前記携帯通信端末で前記動作設定の変更実施の有無が判定可能な動作状態変更信号を生成し、前記生成された動作状態変更信号を非接触で前記携帯通信端末に送信する制御手段、
を備えたことを特徴とする端末制御装置。
【請求項２】
前記制御手段は、
前記携帯通信端末の利用シーンの変更に伴い、前記携帯通信端末が非接触通信可能領域に位置する場合に前記動作状態変更信号を生成することを特徴とする請求項１に記載の端末制御装置。
【請求項３】
端末制御装置に接続される携帯通信端末であって、
前記端末制御装置で動作設定の変更内容が定義された情報に従い生成され送信される動作状態変更信号を非接触で受信し、前記受信した動作状態変更信号による動作設定の変更を許可するか否かを判定し、許可すると判定された場合に前記動作状態変更信号を解析して動作設定を変更する制御手段、
を備えたことを特徴とする携帯通信端末。
【請求項４】
前記制御手段は、
特定の言語で作成されたファイルから生成される階層構造を持つ動作状態変更信号を解析し、取得される動作設定情報の組み合わせに従い動作設定を行うことを特徴とする請求項３に記載の携帯通信端末。
【請求項５】
前記制御手段は、
前記動作設定を変更する場合に、変更前の動作設定を保存し、利用シーンが復旧するタイミングで前記保存された変更前の動作設定に戻すことを特徴とする請求項３または請求項４に記載の携帯通信端末。
【請求項６】
携帯通信端末と、端末制御装置とを備え、
前記端末制御装置は、
前記携帯通信端末との間の非接触通信により、前記携帯通信端末の利用シーンの変化と、前記利用シーンの変化に伴い動作設定の変更を促す動作状態変更信号を送信し、
前記携帯通信端末は、
前記動作状態変更信号を非接触通信により受信し、前記受信した動作状態変更信号による動作設定の変更を許可するか否かを判定し、許可すると判定された場合に前記動作状態変更信号を解析して動作設定を変更すること、
を特徴とする携帯通信端末制御システム。
【請求項７】
携帯通信端末に接続される端末制御装置による携帯通信端末の動作設定変更方法であって、
前記携帯通信端末の動作設定の変更内容が定義された情報に従い、前記携帯通信端末で前記動作設定の変更実施の有無が判定可能な動作状態変更信号を生成する第１のステップと、
前記生成された動作状態変更信号を非接触で前記携帯通信端末に送信する第２のステップと、
を有することを特徴とする端末通信端末の動作設定変更方法。
【請求項８】
前記第１のステップは、
前記携帯通信端末の利用シーンの変更に伴い、前記携帯通信端末が非接触通信可能領域に位置すると判定された場合に前記動作状態変更信号を生成するサブステップ、
を有することを特徴とする請求項７に記載の端末通信端末の動作設定変更方法。
【請求項９】
端末制御装置に接続される携帯通信端末の動作設定変更方法であって、
前記端末制御装置で動作設定の変更内容が定義された情報に従って生成され送信される動作状態変更信号を非接触で受信する第１のステップと、
前記受信した動作状態変更信号による動作設定の変更を許可するか否かを判定し、許可すると判定された場合に前記動作状態変更信号を解析して動作設定を変更する第２のステップと、
を有することを特徴とする携帯通信端末の動作設定変更方法。
【請求項１０】
前記第２のステップは、
特定の言語で作成されたファイルから生成される階層構造を持つ動作状態変更信号を解析し、取得される動作設定情報の組み合わせに従い動作設定を行うサブステップ、
を有することを特徴とする請求項９に記載の携帯通信端末の動作設定変更方法。
【請求項１１】
前記第２のステッブは、
前記動作設定を変更する場合に、変更前の動作設定を保存し、利用シーンが復旧するタイミングで前記保存された変更前の動作設定に戻すサブステップ、
を有することを特徴とする請求項９または請求項１０に記載の携帯通信端末の動作設定変更方法。
【請求項１２】
コンピュータ上で実行され、携帯通信端末に接続される端末制御装置に備えられる前記携帯通信端末の動作設定変更プログラムであって、
前記コンピュータに、
前記携帯通信端末の動作設定の変更内容が定義された情報に従い、前記携帯通信端末で前記動作設定の変更実施の有無が判定可能な動作状態変更信号を生成する動作状態変更信号生成処理と、
前記生成された動作状態変更信号を非接触で前記携帯通信端末に送信する信号送受信処理と、
を実行させることを特徴とする動作設定変更プログラム。
【請求項１３】
前記動作状態変更信号生成処理は、
前記携帯通信端末の利用シーンの変更に伴い、前記携帯通信端末が非接触通信可能領域に位置すると判定された場合に前記動作状態変更信号を生成することを特徴とする請求項１２に記載の動作設定変更プログラム。
【請求項１４】
コンピュータ上で実行され、端末制御装置に接続される携帯通信端末の動作設定変更プログラムであって、
前記コンピュータに、
前記端末制御装置で動作設定の変更内容が定義された情報に従って生成され送信される動作状態変更信号を非接触で受信する信号送受信処理と、
前記受信した動作状態変更信号による動作設定の変更を許可するか否かを判定し、許可すると判定された場合に前記動作状態変更信号を解析して動作設定を変更する動作状態変更信号処理と、
を実行させることを特徴とする動作設定変更プログラム。
【請求項１５】
前記動作状態変更信号処理は、
特定の言語で作成されたファイルから生成される階層構造を持つ動作状態変更信号を解析し、取得される動作設定情報の組み合わせに従い動作設定を行うことを特徴とする請求項１４に記載の動作設定変更プログラム。
【請求項１６】
前記動作状態変更信号処理は、
前記動作設定を変更する場合に、変更前の動作設定を保存し、利用シーンが復旧するタイミングで前記保存された変更前の動作設定に戻すことを特徴とする請求項１４または請求項１５に記載の動作設定変更プログラム。
【発明の詳細な説明】
【技術分野】
【０００１】
本発明は、端末制御装置、携帯通信端末、携帯通信端末制御システム、携帯通信端末の動作設定方法、動作設定変更プログラムに関し、特に、利用シーンの変更に伴い動作設定を自動変更可能な携帯電話等の携帯通信端末に用いて好適な技術に関する。
【背景技術】
【０００２】
携帯電話等の携帯通信端末は、日常で使用しているときに、動作設定を変更することを期待されるシーンがある。例えば電車に乗るときはマナーモードにすることが望ましく、また、飛行機に搭乗するときは電源をＯＦＦにすることが必須である。しかしながら、これらの操作は人為的に行う必要があるため、マナーモードへの設定変更や電源をＯＦＦすることを忘れ、周囲の人に迷惑をかけたり、航空機の離発着に影響を与えたりする可能性がある。
【０００３】
このため、特許文献１では、より簡単かつ確実に携帯電話の機能制限を行うために、施設入場時にチケットの読み取りと同時に機能制限を行い、施設退場時に機能制限を解除する端末制御システムが提案されている。
【０００４】
また、特許文献２では、携帯電話の使用が好ましくない場所において使用を制限するために、改札の入退場時、携帯電話に対して近距離無線通信により電源切断、電源再投入を指示する信号を送信する入出場管理装置が提案されている。
【先行技術文献】
【特許文献】
【０００５】
【特許文献１】特開２００４−３４９９３５号公報
【特許文献２】特開２００２−１６５２６５号公報
【発明の概要】
【発明が解決しようとする課題】
【０００６】
特許文献１、２で提案されるこれまでの端末制御システムあるいは入出場管理装置によれば、機能制限を行う動作は、電源のＯＮ／ＯＦＦやマナーモード等、固定であり、他の動作設定の変更を任意に行うことができないという問題がある。
【０００７】
その理由は、機能制限を指示する方法が、読み取られるチケット情報に対応しており、あるいは、入退場管理装置により固定されており、携帯電話は、与えられた指示に対応した動作を行うだけであるためである。
【０００８】
（発明の目的）
本発明の目的は、上述した機能制限を行う動作が固定であり他の動作設定の変更を任意に行うことができないという課題を解決する、端末制御装置、携帯通信端末、携帯通信端末制御システム、携帯通信端末の動作設定方法、動作設定変更プログラムを提供することにある。
【課題を解決するための手段】
【０００９】
本発明の第１の端末制御装置は、携帯通信端末に接続される端末制御装置であって、前記携帯通信端末の動作設定の変更内容が定義された情報に従い、前記携帯通信端末で前記動作設定の変更実施の有無が判定可能な動作状態変更信号を生成し、前記生成された動作状態変更信号を非接触で前記携帯通信端末に送信する制御手段を含む。
【００１０】
本発明の第２の携帯通信端末は、端末制御装置に接続される携帯通信端末であって、前記端末制御装置で動作設定の変更内容が定義された情報に従って生成され送信される動作状態変更信号を非接触で受信し、前記受信した動作状態変更信号による動作設定の変更を許可するか否かを判定し、許可すると判定された場合に前記動作状態変更信号を解析して動作設定を変更する制御手段を含む。
【００１１】
本発明の第３の携帯通信端末制御システムは、携帯通信端末と、端末制御装置とを備え、前記端末制御装置は、前記携帯通信端末との間の非接触通信により、前記携帯通信端末の利用シーンの変化と、前記利用シーンの変化に伴い動作設定の変更を促す動作状態変更信号を送信し、前記携帯通信端末は、前記動作状態変更信号を非接触通信により受信し、前記受信した動作状態変更信号による動作設定の変更を許可するか否かを判定し、許可すると判定された場合に前記動作状態変更信号を解析して動作設定を変更する。
【００１２】
本発明の第４の携帯通信端末の動作設定変更方法は、携帯通信端末に接続される端末制御装置による携帯通信端末の動作設定変更方法であって、前記携帯通信端末の動作設定の変更内容が定義された情報に従い、前記携帯通信端末で前記動作設定の変更実施の有無が判定可能な動作状態変更信号を生成する第１のステップと、前記生成された動作状態変更信号を非接触で前記携帯通信端末に送信する第２のステップと、を含む。
【００１３】
本発明の第５の携帯通信端末の動作設定変更方法は、端末制御装置に接続される携帯通信端末の動作設定変更方法であって、前記端末制御装置で動作設定の変更内容が定義された情報に従って生成され送信される動作状態変更信号を非接触で受信する第１のステップと、前記受信した動作状態変更信号による動作設定の変更を許可するか否かを判定し、許可すると判定された場合に前記動作状態変更信号を解析して動作設定を変更する第２のステップと、を含む。
【００１４】
本発明の第６の動作設定変更プログラムは、コンピュータ上で実行され、携帯通信端末に接続される端末制御装置に備えられる前記携帯通信端末の動作設定変更プログラムであって、前記コンピュータに、前記携帯通信端末の動作設定の変更内容が定義された情報に従い、前記携帯通信端末で前記動作設定の変更実施の有無が判定可能な動作状態変更信号を生成する動作状態変更信号生成処理と、前記生成された動作状態変更信号を非接触で前記携帯通信端末に送信する信号送受信処理と、を実行させる。
【００１５】
本発明の第７の動作設定変更プログラムは、コンピュータ上で実行され、端末制御装置に接続される携帯通信端末の動作設定変更プログラムであって、前記コンピュータに、前記端末制御装置で動作設定の変更内容が定義された情報に従って生成され送信される動作状態変更信号を非接触で受信する信号送受信処理と、前記受信した動作状態変更信号による動作設定の変更を許可するか否かを判定し、許可すると判定された場合に前記動作状態変更信号を解析して動作設定を変更する動作状態変更信号処理と、を実行させる。
【発明の効果】
【００１６】
本発明によれば、機能制限を行う動作が固定であり他の動作設定の変更を任意に行うことができないという課題を解決した、端末制御装置、携帯通信端末、携帯通信端末制御システム、携帯通信端末の動作設定方法、動作設定変更プログラムを提供することができる。
【００１７】
その理由は、端末制御装置が、携帯通信端末との間の非接触通信により、携帯通信端末の利用シーンの変化と、当該利用シーンの変化に伴い動作設定の変更を促す動作状態変更信号を送信し、携帯通信端末が、動作状態変更信号を非接触通信により受信し、当該受信した動作状態変更信号による動作設定の変更を許可するか否かを判定し、許可すると判定された場合に動作状態変更信号を解析して動作設定を変更するからである。
【図面の簡単な説明】
【００１８】
【図１】本発明の実施の形態による携帯通信端末制御システムの構成を示すブロック図である。
【図２】本発明の実施の形態による端末制御装置の構成例を示す図である。
【図３】本発明の実施の形態による端末制御装置の制御部が実行するプログラムの構造を機能展開して示したブロック図である。
【図４】本発明の実施の形態による端末制御装置により生成される動作状態変更信号定義文のデータ構造の一例を示す図である。
【図５】本発明の実施の形態による携帯通信端末の構成例を示す図である。
【図６】本発明の実施の形態による携帯通信端末の制御部が実行するプログラムの構造を機能展開して示したブロック図である。
【図７】本発明の実施の形態による携帯通信端末制御システムの動作を示すシーケンス図である。
【図８】本発明の実施の形態による端末制御装置の動作を示すフローチャートである。
【図９】本発明の実施の形態による携帯通信端末の動作を示すフローチャートである。
【図１０】本発明の実施の形態による端末制御装置で生成される動作状態変更信号定義文の一例を示す図である。
【発明を実施するための形態】
【００１９】
次に、本発明の実施の形態について図面を参照して詳細に説明する。
【００２０】
（第１の実施の形態の構成）
図１は、本発明の第１の実施の形態による携帯通信端末制御システム１の構成を示すブロック図である。
【００２１】
図１を参照すると、本発明の第１の実施の形態による携帯通信端末制御システム１は、端末制御装置１０と、携帯通信端末２０とを含む構成となっている。
【００２２】
端末制御装置１０は、例えば、駅構内改札口に設置されものとし、携帯電話やＰＤＡ（Personal Digital Assistants）等、携帯通信端末２０の動作設定を変更する動作状態変更信号定義文が予め用意されているものとする。一方、携帯通信端末２０は、利用者が携帯し、利用者は勿論のこと、端末制御装置１０が備える動作状態変更信号定義文により、電源ＯＮ／ＯＦＦ、マナーモード、セルフモード、バイブ等の機能制限あるいは動作設定が可能である。
【００２３】
端末制御装置１０は、図２に示す構成を有する。図２を参照すると、端末制御装置１０は、制御部１１を制御中枢とし、ネットワーク制御部１２と、ゲート開閉制御部１３と、近距離無線通信部１４と、記憶部１５と、を含む。これら各制御ブロック１１〜１５はいずれも、データ、アドレス、コントロールのためのラインが複数本で構成されるシステムバス１６に共通接続される。
【００２４】
ネットワーク制御部１２は、外部接続される不図示の管理センタのホストとの間で、例えば、ＴＣＰ／ＩＰ（Transmission Control／Internet Protocol）により接続され、当該ホストとの通信によりデータの送受信を行う。ゲート開閉制御部１３は、制御部１１による制御の下で入退場ゲートの開閉制御を行う。
【００２５】
近距離無線通信部１４は、電磁波を生成して後述する携帯通信端末２０の近距離無線通信部２７との間で近距離無線通信を行う。
【００２６】
近距離無線通信部１４は、内部的には、変復調部と、コイルおよびコンデンサで構成された共振回路部とを含み、共振周波数により生成される電磁波を変復調し、携帯通信端末２０との間で非接触通信を行う。近距離無線通信部１６は、非接触通信が出来ればよく、例えば、ブルートゥース（登録商標）として知られている無線通信技術が使用され、あるいは、ＲＦＩＣ（Radio Frequency IC）による無線通信でもよい。
【００２７】
記憶部１５は、端末制御装置１０の各種処理に利用される各種データを記憶する。例えば、制御部１１が実行するコンピュータのプログラムや当該プログラムの処理過程で利用される一時的なデータ等が記憶される。また、後述する動作状態変更信号定義文ファイル１１３も記憶される。
【００２８】
なお、記憶部１５は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２９】
制御部１１は、記憶部１５に格納されたプログラムに基づいて処理を実行するコンピュータ（マイクロプロセッサ）を備えており、これらプログラムにおいて指示された手順に従い、例えば、携帯通信端末２０の動作設定の変更内容が定義された情報に従い、携帯通信端末２０で動作設定の変更実施の有無が判定可能な動作状態変更信号を生成し、当該生成された動作状態変更信号を非接触で携帯通信端末２０に送信する制御手段、として機能する。
【００３０】
上述の機能を実現するために制御部１１が実行するプログラムの構造が図３に機能展開され示されている。
【００３１】
図３を参照すると、制御部１１は、動作状態変更信号生成部１１１と、信号送受信部１１２と、動作状態変更信号定義ファイル１１３と、を含む。
【００３２】
動作状態変更信号生成部１１１は、携帯通信端末２０の動作設定の変更内容が定義された情報（ここでは、動作状態変更信号定義ファイル１１３）に従い、携帯通信端末２０で動作設定の変更実施の有無が判定可能な動作状態変更信号を生成する機能を有する。また、信号送受信部１１２は、動作状態変更信号生成部１１１で生成された動作状態変更信号を非接触で携帯通信端末１０に送信する機能を有する。
【００３３】
動作状態変更信号定義文ファイル１１３は、動作状態を変更する信号の内容を定義したテキストファイルである。ここでは、ＸＭＬ（Extensible Markup Language：拡張可能マーク付き言語）形式で定義して、電源状態やマナーモード設定などのユーザ設定をどのような組み合わせで設定するかを階層構造で定義し、あらかじめファイル化しておくものとする。このＸＭＬにより生成される階層構造を持つ動作状態変更信号のデータ構造の一例が図４に、また、具体的なＸＭＬ表記の一例が、図１０（ａ）（ｂ）に示されている。いずれも詳細は後述する。
【００３４】
一方、携帯通信端末２０は、例えば、図５に示す構成を有する。図５を参照すると、携帯通信端末２０は、制御部２１を制御中枢とし、通信部２２と、操作部２３と、表示部２４と、音声ＣＯＤＥＣ（COder DECoder）部２５と、記憶部２６と、近距離無線通信部２７と、を含む。
【００３５】
通信部２２は、無線通信システムを捕捉し、不図示の通信ネットワークに接続される基地局との間で無線通信を行い、各種データの送受信を行う。ここで各種データとは、音声通話時の音声データ、メール送受信時のメールデータ、ウェブ閲覧時のページデータ等である。
【００３６】
操作部２３は、例えば、電源キー、通話キー、数字キー、文字キー、方向キー、決定キー、発信キー、ファンクションキーなど、各種の機能が割り当てられたキーを有しており、これらのキーがユーザによって操作された場合に、その操作内容に対応する信号を発生し、これをユーザの指示として制御部２１に出力する。
【００３７】
表示部２４は、多数の画素（複数色の発光素子の組み合わせ）を縦横に配して構成される、例えばＬＣＤ（Liquid Crystal Display Device）や有機ＥＬ（Electro-Luminescence）を用いて構成される。表示部２４は、制御部２１により生成され、記憶部２６の所定の領域（ＶＲＡＭ領域）に書き込まれた文書等の表示対象データに応じた画像を表示する。
【００３８】
音声ＣＯＤＥＣ部２５は、不図示のスピーカから出力される音声信号やマイクロフォンにおいて入力される音声信号の入出力処理を行う。すなわち、音声ＣＯＤＥＣ部２５は、マイクロフォンから入力された音声を増幅し、アナログ−デジタル変換を行い、更に符号化等の信号処理を施し、デジタルの音声データに変換して制御部１１に出力する。また、音声ＣＯＤＥＣ部２５は、制御部２１から供給される音声データに復号化、デジタル−アナログ変換、増幅等の信号処理を施し、アナログの音声信号に変換してスピーカに出力する。
【００３９】
記憶部２６は、携帯通信端末２０の各種処理に利用される各種データを記憶する。例えば、制御部２１が実行するコンピュータのプログラム、各種設定データ、プログラムの処理過程で利用される一時的なデータが記憶される。ここでは更に、後述する前設定保存領域２１３が割り付けられ記憶される。前設定保存領域２１３に記憶される前設定情報として、電源状態の他、ユーザ設定によるマナーモード設定、表示画像設定、着信音設定、着信音量設定、振動設定などが保存される。
【００４０】
なお、記憶部２６は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００４１】
近距離無線通信部２７は、電磁波を生成して上述した端末制御装置１０の近距離無線通信部１４との間で近距離無線通信を行う。近距離無線通信部２７は、内部的には、変復調部と、コイルおよびコンデンサで構成された共振回路部とを含み、共振周波数により生成される電磁波を変復調して非接触通信を行う。近距離無線通信部２７は、非接触通信が出来ればよく、例えば、ブルートゥース（登録商標）として知られている無線通信技術が使用され、あるいは、ＲＦＩＣによる無線通信でもよい。
【００４２】
なお、制御部２１は、携帯通信端末２０の全体的な動作を統括的に制御する。すなわち、携帯通信端末２０の各種処理（回線交換網を介して行われる音声通話、電子メールの作成と送受信、インターネットのＷｅｂ（World Wide Web）サイトの閲覧など）が操作部２３の操作に応じて適切な手順で実行されるように、上述した各制御ブロックの動作（通信部２２における信号の送受信、操作部２３からの操作入力の取り込み、音声ＣＯＤＥＣ部２５における音声入出力、表示部２４における画像の表示、近距離無線通信部２７との間の情報転送等）を制御する。
【００４３】
制御部２１は、記憶部２６に格納されたプログラム（オペレーティングシステムやアプリケーションプログラム等）に基づいて処理を実行するコンピュータ（マイクロプロセッサ）を備えており、これらプログラムにおいて指示された手順に従って上述した処理を実行する。すなわち、制御部２１は、記憶部２６に格納されるオペレーティングシステムやアプリケーションプログラム等のプログラムから命令コードを順次読み込んで処理を実行する。
【００４４】
制御部２１はまた、上述した端末制御装置１０で動作設定の変更内容が定義された情報（動作状態変更信号定義文ファイル１１３）に従って生成され送信される動作状態変更信号を非接触で受信し、当該受信した動作状態変更信号による動作設定の変更を許可するか否かを判定し、許可すると判定された場合に動作状態変更信号を解析して動作設定を変更する制御手段としても機能する。
【００４５】
上述の機能を実現するために制御部２１が実行するプログラムの構造が図６に機能展開され示されている。
【００４６】
図６を参照すると、制御部２１は、信号送受信部２１１と、動作状態変更信号処理部２１２と、前設定保存領域２１３とを含む。
【００４７】
信号送受信部２１１は、端末制御装置１０で動作設定の変更内容が定義された情報に従って生成され送信される動作状態変更信号を非接触で受信する機能を有する。また、動作状態変更信号処理部２１２は、信号送受信部２１１で受信した動作状態変更信号による動作設定の変更を許可するか否かを判定し、許可すると判定された場合に動作状態変更信号を解析して動作設定を変更する機能を有する。
【００４８】
前設定保存領域２１３には、電源状態の他、ユーザ設定によるマナーモード設定、表示画像設定、着信音設定、着信音量設定、振動設定などが保存されることは上述したとおりであり、動作状態変更信号によって強制的に設定が変更される前の状態を保存しておくことで、設定を元に戻すことを可能とする。
【００４９】
（第１の実施の形態の動作）
次に、本発明の第１の実施の形態による端末制御システムの動作について図７に示すシーケンス図を参照して説明する。
【００５０】
図７を参照すると、端末制御装置１０は、予め、ＸＭＬ形式等により動作状態を変更する内容が定義されたテキストファイルを用意し、記憶部１５（動作状態変更信号定義文ファイル１１３）に保持しておくものとする（ステップＳ７０１）。動作状態変更信号定義の一例は、図４に示したように、階層構造で動作が定義されてあるものとする。
【００５１】
続いて、携帯通信端末２０を所持した利用者が非接触通信機能を用いて駅の改札内に入場した場合、ＩＤやチャージ金額等の端末情報が送信され（ステップＳ７０２）、これを受けた端末制御装置１０は、非接触通信によって携帯通信端末２０に利用シーンの変化を通知して動作設定の変更を促すとともに、先に定義された内容を解析して動作状態変更信号を生成し（ステップＳ７０３）、当該生成した動作状態変更信号を非接触通信で携帯通信端末２０へ送信する（ステップＳ７０４）。
【００５２】
これを受けた携帯通信端末２０は、例えば、「乗車するためマナーモードに設定します」等メッセージを表示部２４に表示するとともに、先に非接触通信により受信した動作状態変更信号による動作設定の変更を許可するか否かを判定し、許可すると判定された場合に動作状態変更信号を解析して動作設定をマナーモードに変更する（ステップＳ７０５）。
【００５３】
なお、改札を出た場合は、改札に入る前の元の動作設定に戻すものとする。また、航空機の搭乗口を通過する場合も同様、非接触通信機能を用いて動作設定を電源ＯＦＦにすることが可能である。電車に乗車する場合、非接触通信による交通費精算がよく行われ、また最近では航空機に搭乗する場合も、チケットレスサービスとして、非接触通信が利用されるようになっている。この非接触通信時の交通費精算、搭乗手続きと同時に、携帯通信端末２０の動作状態の設定変更を行うことで、それぞれのシーンに沿った動作設定を行うことができる。それによって常に周囲に迷惑のかからないような設定にすることが可能になる。
【００５４】
次に、本発明の第１の実施の形態による端末制御装置１０の動作について図８に示すフローチャートを参照して説明する。
【００５５】
図８を参照すると、端末制御装置１０（制御部１１）は、予め定義されたＭＸＬ形式等による動作状態変更信号文をテキストファイルに変換して記憶部１５（動作状態変更信号定義文ファイル１１３）に保持しておく（ステップＳ８０１）。
【００５６】
一方、携帯通信端末２０が端末制御装置１０に近づけられ、電波到達領域内に位置すると、携帯通信端末２０と端末制御装置１０との間で非接触通信が開始され、まず、携帯通信端末２０から端末制御装置１０に向けて端末情報が送信される。これは、例えば、駅改札を通過するシーンや、飛行機の搭乗口を通過するシーンに行われ、その際に送信される端末情報は、ＩＤ番号やチャージ金額である。
【００５７】
端末情報は、近距離無線通信部１４経由で制御部１１の無線送受信部１１１で受信され（ステップＳ８０２“Ｙｅｓ”）、これを受けた無線送受信部１１１は、動作状態変更信号生成部１１２を起動し、動作状態変更信号生成部１１２は、動作状態変更信号を生成するための処理を開始する（ステップＳ８０３）。
【００５８】
動作状態変更信号生成部１１２は、記憶部１５に保持された動作状態変更信号定義文ファイル１１３から動作状態変更信号を生成する。ここで生成された動作状態変更信号は、無線送受信部１１１、および近距離無線通信部１４経由で非接触通信にて携帯通信端末２０に送信される（ステップＳ８０４）。
【００５９】
次に、本発明の第１の実施の形態による携帯通信端末２０の動作について図９に示すフローチャートを参照して説明する。
【００６０】
図９を参照すると、携帯通信端末２０が端末制御装置１０に近づけられ、電波到達領域内に位置すると（ステップＳ９０１“Ｙｅｓ”）、非接触通信が開始され、携帯通信端末２０から端末制御装置１０に向けてＩＤ番号やチャージ金額等の端末情報が送信される（ステップＳ９０２）。
【００６１】
続いて、端末制御装置１０から非接触通信により、近距離無線通信部２７、制御部２１（信号送受信部２１１）経由で動作状態変更信号を受信した動作状態変更信号処理部２１２は（ステップＳ９０３“Ｙｅｓ”）、動作状態変更信号による状態変更を許可するか否かについて記憶部２６を参照してユーザの設定状態を確認することにより判定する（ステップＳ９０４）。既に変更内容が反映されており、状態変更を拒否する場合は（ステップＳ９０４“Ｎｏ”）、状態変更を行わずに終了する。
【００６２】
一方、状態変更を許可する場合（ステップＳ９０４“Ｙｅｓ”）、動作状態変更信号処理部２１２は、受信した動作状態変更信号を解析し、例えば、着信音・着信音量・バイブレータ等の設定値を取得し、また、電源をＯＦＦ設定する等、動作状態変更信号の動作設定内容を取得する（ステップＳ９０５）。そして、設定変更を実施する前に、前設定保存領域２１３に現在の動作設定を保存する（ステップＳ９０６）。そして動作状態変更信号の解析結果に基づく設定変更を実施する（ステップＳ９０７）。
【００６３】
なお、退場等により利用シーンが復旧する場合（ステップＳ９０８“Ｙｅｓ”）、動作状態変更信号処理部２１２は、記憶部２６の前設定保存領域２１３に保存された変更前の動作設定に戻す処理を実行する（ステップＳ９０９）。
【００６４】
ＸＭＬ形式で記述された動作状態変更信号定義文による携帯通信端末２０の動作設定変更の一例が、図１０（ａ）（ｂ）に示されている。
【００６５】
図１０（ａ）は、電源をＯＦＦ設定するための動作状態変更信号定義文の一例である。
【００６６】
ここでは、＜ＭＯＤＥ＞タグ（Ｌ２）で動作状態変更信号を定義し、ＰＯＷＥＲ-ＯＦＦタグ（Ｌ３）で電源ＯＦＦ設定を指定している。結果として電源ＯＦＦ設定を行う動作状態変更信号が生成され、端末制御装置１０（動作状態変更信号生成部１１１）で生成された動作状態変更信号が、携帯通信端末２０（動作状態変更信号処理部２１２）で解析されることで電源のＯＦＦが実行される。
【００６７】
図１０（ｂ）は、着信音と着信バイブレータを設定するための動作状態変更信号定義文の一例である。
【００６８】
ここでは、＜ＭＯＤＥ＞タグ（Ｌ２）で動作状態変更信号を定義し、＜ＲＩＮＧ-ＴＯＮＥ＞タグ（Ｌ３）で着信音設定を指定し、＜ＰＨＯＮＥ＞タグ（Ｌ４）で電話着信時の設定を指定し、ＯＦＦ（Ｌ５）で電話着信時の着信音設定をＯＦＦに指定し、＜ＶＩＤＥＯ-ＰＨＯＮＥ＞タグ（Ｌ７）でＴＶ電話着信時の設定を指定し、ＯＦＦ（Ｌ８）でＴＶ電話着信時の着信音設定をＯＦＦに指定している。
【００６９】
また、＜ＶＩＢＲＡＴＯＲ＞タグ（Ｌ１１）でバイブレータ設定を指定し、＜ＰＨＯＮＥ＞タグ（Ｌ１２）で電話着信時の設定を指定し、ｐａｔｔｅｒｎ-１（Ｌ１３）で電話着信時のバイブレータ設定をパターン１に指定し、＜ＶＩＤＥＯ-ＰＨＯＮＥ＞タグ（Ｌ１５）でＴＶ電話着信時の設定を指定し、ｐａｔｔｅｒｎ-２（Ｌ１６）でＴＶ電話着信時のバイブレータ設定をパターン１に指定している。
【００７０】
結果として、（１）電話着信時の着信音設定をＯＦＦに設定、（２）ＴＶ電話着信時の着信音設定をＯＦＦに設定、（３）電話着信時のバイブレータ設定をパターン１に設定、（４）ＴＶ電話着信時のバイブレータ設定をパターン２に設定、するためのそれぞれの動作設定変更信号が生成される。端末制御装置１０（動作状態変更信号生成部１１１）で生成された動作状態変更信号が、携帯通信端末２０（動作状態変更信号処理部２１２）で解析され、上述した（１）〜（４）を順次実行することにより携帯通信端末２０の設定変更が行われる。
【００７１】
（第１の実施の形態による効果）
本実施の形態による端末制御装置１０では、携帯通信端末２０の動作設定の変更内容が定義された情報に従い、携帯通信端末２０で動作設定の変更実施の有無が判定可能な動作状態変更信号を生成し、当該生成された動作状態変更信号を非接触で携帯通信端末２０に送信するようにしたので、携帯通信端末２０では、ユーザによる設定変更を行うことなく状況に応じた設定変更が自動的に行うことができる。このように、これまで人為的に行っていた操作を自動で行うため、マナーモードの設定忘れ、電源ＯＦＦ忘れ等のミスがなくなり、周囲の人に迷惑をかけたり、航空機の離発着に影響を与えたりすることがなくなる。
【００７２】
また、本実施の形態による携帯通信端末２０では、端末制御装置１０で動作設定の変更内容が定義された情報に従って生成され送信される動作状態変更信号を非接触で受信し、当該受信した動作状態変更信号による動作設定の変更を許可するか否かを判定し、許可すると判定された場合に動作状態変更信号を解析して動作設定を変更するようにしたので、端末制御装置１０から与えられる動作状態変更信号に応じた動作設定を行うことは勿論のこと、与えられた動作状態変更信号を状況に応じて自らの判断で動作設定を行うことが可能であり、このため、柔軟な動作設定が可能となり使い勝手の向上がはかれる。
【００７３】
また、本実施の形態による携帯通信端末制御システムでは、端末制御装置１０が、携帯通信端末２０との間の非接触通信により、携帯通信端末２０の利用シーンの変化と、利用シーンの変化に伴い動作設定の変更を促す動作状態変更信号を送信し、携帯通信端末２０が、動作状態変更信号を非接触通信により受信し、当該受信した動作状態変更信号による動作設定の変更を許可するか否かを判定し、許可すると判定された場合に動作状態変更信号を解析して動作設定を変更するようにしたので、例えば、駅改札に入場した際の交通費清算や航空機搭乗手続きの際のチケットレスサービスとリンクして携帯通信端末２０の動作設定の変更を行うことができ、また、退場の際は入場前の設定に戻す等、利用シーンに沿った動作設定が可能になる。
【００７４】
なお、上述した利用シーンの他に、例えば、携帯電話の販売店で、ユーザから動作設定を変更したいが設定操作の方法がわからないという問い合わせがあった場合、予め上述した動作状態変更信号定義文を作成しておくことで、非接触通信を行うだけで動作設定の変更を自動的に行うことができる。
【００７５】
また、企業等で非接触通信により社員の入退場管理を行っている場合、例えば、出社したとき時計の設定変更を行うことで、各自の時計を一律で正確に設定することができる。また、「時計は駅の時刻に合わせている」等、各自で時計設定を行っている場合も考えられるために退社時には前設定に戻す、といった制御も可能である。更に、出社したときアラーム通知を設定することで、会議開始前等、指定の日時にアラームを鳴らすことができる。また、端末情報を利用することによって特定の人物に対してのみアラーム通知を設定することも可能である。
【００７６】
なお、図３の制御部１１が有する機能は、全てをソフトウェアによって実現しても、あるいはその少なくとも一部をハードウェアで実現してもよい。例えば、制御部１１が、携帯通信端末２０の動作設定の変更内容が定義された情報に従い、携帯通信端末２０で動作設定の変更実施の有無が判定可能な動作状態変更信号を生成し、当該生成された動作状態変更信号を非接触で携帯通信端末２０に送信するデータ処理は、１または複数のプログラムによりコンピュータ上で実現してもよく、また、その少なくとも一部をハードウェアで実現してもよい。
【００７７】
また、図６の制御部２１が有する機能も、全てをソフトウェアによって実現しても、あるいはその少なくとも一部をハードウェアで実現してもよい。例えば、制御部２１が、端末制御装置１０で動作設定の変更内容が定義された情報に従って生成され送信される動作状態変更信号を非接触で受信し、当該受信した動作状態変更信号による動作設定の変更を許可するか否かを判定し、許可すると判定された場合に動作状態変更信号を解析して動作設定を変更するデータ処理は、１または複数のプログラムによりコンピュータ上で実現してもよく、また、その少なくとも一部をハードウェアで実現してもよい。
【００７８】
以上好ましい実施の形態と実施例をあげて本発明を説明したが、本発明は必ずしも、上述実施の形態及び実施例に限定されるものでなく、その技術的思想の範囲内において様々に変形して実施することができる。
【符号の説明】
【００７９】
１：携帯通信端末制御システム
１０：端末制御装置
１１：制御部
１２：ネットワーク制御部
１３：ゲート開閉制御部
１４：近距離無線通信部
１５：記憶部
１６：システムバス
２０：携帯通信端末
２１：制御部
２２：通信部
２３：操作部
２４：表示部
２５：音声ＣＯＤＥＣ部
２６：記憶部
２７：近距離無線通信部
１１１：動作状態変更信号生成部
１１２：信号送受信部
１１３：動作状態変更信号定義文ファイル
２１１：信号送受信部
２１２：動作状態変更信号処理部
２１３：前設定保存領域
【図１】
2010171754.tif 000003
【図２】
2010171754.tif 000004
【図３】
2010171754.tif 000005
【図４】
2010171754.tif 000006
【図５】
2010171754.tif 000007
【図６】
2010171754.tif 000008
【図７】
2010171754.tif 000009
【図８】
2010171754.tif 000010
【図９】
2010171754.tif 000011
【図１０】
2010171754.tif 000012